(57)【要約】【課題】警報機を、既存構造の電動機器に改造不要で取付可能とし、さらに警報機の設置作業を簡単とする。【解決手段】電動機器４０の異常を報知するための警報機１８であって、元電源１０のコンセント１５に接続可能な本体プラグ１２と、電動機器の附属プラグ２を接続可能な本体コンセント４と、報知部８，２１とを警報機１８本体に備え、電動機器４０及び警報機１８本体の少なくとも一方は、電動機器４０の異常を検出する異常検出装置を有し、異常検出装置からの情報に基づいて報知部８，２１が作動する構成であることを特徴とする。【選択図】図１
2008146305.tif 000002
【特許請求の範囲】
【請求項１】
電動機器の異常を報知するための警報機であって、
元電源のコンセントに接続可能な本体プラグと、前記電動機器の附属プラグを接続可能な本体コンセントと、報知部とを前記警報機本体に備え、
前記電動機器及び前記警報機本体の少なくとも一方は、前記電動機器の異常を検出する異常検出装置を有し、
前記異常検出装置からの情報に基づいて前記報知部が作動して音、光又は電気信号を発する構成であることを特徴とする警報機。
【請求項２】
請求項１に記載の警報機であって、
前記本体コンセントに接続の附属プラグを覆うように、両者の接続箇所周囲に防壁部を設けたことを特徴とする警報機。
【請求項３】
請求項１又は２に記載の警報機であって、
前記報知部は、光を検知のセンサによって作動可能状態となるブザーやスピーカなどの音発生装置であることを特徴とする警報機。
【請求項４】
設置面に対して水平方向に張り出した張出部の下部に少なくとも一対の元電源のコンセントが並列配置しており、
前記警報機は、絶縁規格を満たす他のプラグが一方の元電源のコンセントに接続した状態において、前記一方とは異なる他方の元電源のコンセントに接続可能な横幅寸法を有し、
前記警報機の表面には、前記報知部及び前記センサの少なくとも一方が配置しており、前記警報機の表面を設置面に対面した状態で前記他方の元電源のコンセントに接続しようとすると、前記警報機の表面より突出して形成の突出部により挿入不可であり、前記警報機の裏面を前記設置面に対面した状態で、前記警報機を前記他方の元電源のコンセントに接続可能な構成であることを特徴とする請求項１〜３のいずれかに記載の警報機。
【発明の詳細な説明】
【技術分野】
【０００１】
本発明は、電動機器の異常を報知する警報機に関する。
【背景技術】
【０００２】
従来、ブロワやエアポンプなどの電動機器の動作異常を報知部にて報知する警報機が知られている。例えば特許文献１に記載のエアポンプでは、エアポンプに内蔵の警報機本体が、エアポンプに内蔵の異常検出装置により、エアポンプに電流が流れていないこと（動作異常）を検出し、報知部としての警報灯が点灯する。この警報灯は、外部から目視できるよう電動機器外面から露出状態で取り付けてある。
【特許文献１】特開２００１‐３４２９６８号
【発明の開示】
【発明が解決しようとする課題】
【０００３】
しかしながら、上述のように電動機器に警報機を内蔵する構成とすると、電動機器の必須部材とは別に、電動機器内部に警報機用のスペースを確保する必要がある。そして、このように警報機を取り付けた電動機器は、既存構造の電動機器と区別するために新たな機種名を付す必要があるので、製品管理上も煩雑である。
また、野外設置型の電動機器に対して、上述のように電動機器外面から露出状態で報知部を取り付けるための取付孔（電動機器内部と外部とを連通）を設けると、この取付孔を通じて電動機器内部に雨水が入り込む危険性がある。このため野外設置型の電動機器においては、取付孔に防水養生を施す必要があり、警報機の取付作業が面倒である。ここで警報機を、電動機器とは別体として構成してもよいのであるが、警報機の設置場所を電動機器とは別に設けなければならず、特に野外設置の警報機の場合にはその設置作業が面倒となる。なお警報機を野外設置した場合、外部からの物理力により警報機が破損したり、夜間に警報機のブザーが作動して不都合な騒音が発生するなどの様々な問題が生じる場合がある。
本発明は、このような点に鑑みて創案されたものであり、本発明の目的とするところは、警報機を、既存構造の電動機器に改造不要で取付可能とし、さらに警報機の設置作業を簡単とすることにある。また本発明の別の目的は、野外設置に好適な警報機を提供することにある。
【課題を解決するための手段】
【０００４】
上記課題を解決するための手段として、本発明の第１発明の警報機は、警報機本体に設けた本体プラグを元電源のコンセント（元電源コンセント）に接続することで警報機の設置作業が完了する。この状態で、警報機本体に設けた本体コンセントに電動機器の附属プラグを接続して電動機器に警報機を取り付ける。電動機器は、既存構造に附属プラグを有していれば、電動機器自体に何ら改造を施すことなく警報機を取付可能である。
そして警報機本体の報知部は、電動機器の異常（例えば、動作異常）を検出する異常検出装置からの情報に基づいて作動して音（例えば電子音や音声案内）、光又は電気信号を発する。すなわち警報機は、音又は光により警報機本体が直接報知する構成であってもよく、警報機の電気信号により、警報機設置場所とは異なる場所に設置の他の報知装置により間接的に報知する構成であってもよい。また異常検出装置は、警報機本体に備える構成であってもよく、電動機器に予め備え付けのものを利用する構成であってもよい。
【０００５】
また、本発明の第２発明の警報機は、第１発明に記載の警報機であって、附属プラグとの接続箇所周囲に設けた防壁部が、本体コンセントに接続の附属プラグを覆うことにより、接続状態の附属プラグが外部からの物理力を受けにくい構成である。このため外部配置の警報機において、外部物理力が原因の附属プラグの破損や附属プラグの抜け外れを防止又は低減することができる。
【０００６】
また、本発明の第３発明の警報機は、第１発明又は第２発明に記載の警報機において、その報知部が、光を検知のセンサによって作動可能状態となるブザーやスピーカなどの音発生装置である。例えば、野外に配置の警報機において、その音発生装置は、太陽光を検知可能の日中ではセンサの信号を受けて作動可能状態であるが、太陽光を検知不可の夜間では前記センサの信号を受けられないので作動不能状態である。このため、野外に設置の警報機において、夜間に音発生装置が作動するなどの不都合な騒音発生を防止又は低減できる。
【０００７】
また、本発明の第４発明では、同形の元電源コンセントが、設置面に対して水平方向に張り出した張出部の下部に少なくとも一対並列配置している。そして警報機は、第１発明〜第３発明のいずれかに記載の警報機であって、絶縁規格を満たす他のプラグが、一方の元電源コンセントに接続した状態であっても、この他のプラグが邪魔とならずに、一方とは異なる他方の元電源コンセントに接続可能な横幅寸法を有する。
【０００８】
そして警報機は、その接続状態において、表裏面の少なくとも一面と設置面との間に隙間（クリアランスＬ４）を設けた構成である。そして警報機は、その表面に突出して形成の突出部を有し、突出部の突出高さ寸法Ｌ５は、前記クリアランスＬ４よりも大きい（高い）設定である。そして警報機表面に、報知部及びセンサの少なくとも一方が配置している。そして警報機は、その裏面を設置面に対面した状態で下方から元電源コンセントに挿入しようとすると、突出部が設置面と対面しないので、元電源コンセントに接続可能である。一方、警報機は、その表面を設置面に対面した状態で元電源コンセントに下方から挿入しようとすると、前記クリアランスＬ４よりも大きい突出高さ寸法Ｌ５の突出部が邪魔となり挿入不可である。
このため警報機は、その裏面を設置面に対面した状態で元電源コンセントに必ず接続することになり、警報機表面に配置の報知部が目視可能である、又は警報機表面のセンサが太陽光を安定的に検知可能である。
【発明の効果】
【０００９】
第１発明によれば、警報機を、既存構造の電動機器に改造不要で取付可能とし、さらに警報機の設置作業を簡単とすることができる。
第２発明によれば、接続状態の附属プラグが外部物理力を受けにくいので、野外設置に好適な警報機を提供することができる。第３発明によれば、不都合な騒音発生を防止又は低減することにより、野外設置に好適な警報機を提供することができる。第４発明によれば、野外設置用の複数口型電源に対応の構成を有することにより、野外設置に好適な警報機を提供することができる。
【発明を実施するための最良の形態】
【００１０】
以下に本発明を実施するための最良の形態を図面１〜７を用いて説明する。
図１は、元電源、ブロワ及び警報機全体の概略図であり、図２は、警報機接続時の元電源を下方より見たときの斜視図である。
ブロワ４０は、排水処理用の浄化槽（図示しない）にエアを供給する野外設置型の電動機器であり、その附属プラグ２（ブロワ附属プラグ２とも呼ぶ）でもって、野外の壁１６に配設の元電源１０から給電を受ける構成である。そして元電源１０は、設置面１６ａに対して水平方向に張り出した雨よけの張出部１４と、その下部に配置した一対の元電源コンセント１５，１５（同型）を有する野外設置用の二口型電源である。
【００１１】
そして本実施例の警報機１８はブロワ４０と別体であって、略矩形の警報機１８本体一側に設けた本体プラグ１２を元電源コンセント１５に接続することで、その設置作業が完了する。すなわち、元電源１０の配設場所がそのまま警報機１８の野外設置場所となる。
さらに警報機１８は、その本体他側に設けた本体コンセント４に、ブロワ附属プラグ２を接続することで、ブロワ４０に対する取付作業が完了する。ブロワ４０は、附属プラグ２を接続の警報機１８を介して元電源１０より給電を受けることとなる。このため警報機１８は、既存構造として附属プラグ２を備えるブロワ４０に対して、当該ブロワ４０を何ら改造することなく取付可能である。
【００１２】
そして警報機１８は、その本体コンセント４とブロワ附属プラグ２との接続箇所（第１接続面４ａ）周囲に設けた枠状の防壁部３でもって、本体コンセント４に接続状態のブロワ附属プラグ２の一部又は全部を覆う構成である。このため警報機１８を外部設置としても、防壁部３がブロワ附属プラグ２の保護防壁となるので、外部からの物理力が原因のブロワ附属プラグ２の破損や抜け外れを防止又は低減することができる。また本実施例の防壁部３は、ブロワ附属プラグ２を覆うように配置しているので、ブロワ附属プラグ２の雨よけともなる。
【００１３】
そして警報機１８の表面１８ａには、警報灯８と、光を検知することにより信号を発する光センサ６があり、この光センサ６の信号によって警報機１８本体内蔵の音発生装置２１が作動可能状態となる。
上述の警報灯８及び音発生装置２１は、ブロワ４０の異常（例えば、動作異常）を検出する後述の異常検出装置からの情報に基づいて作動する報知部である。そして警報灯８及び音発生装置２１は、常時給電の元電源１０より給電を受けて、昼夜を問わず（太陽光の検知可能・不可能に関わらず）作動可能な構成としてもよい。また、野外に配置の音発生装置２１は、（太陽光を検知可能な）日中では光センサ６の信号を受けて作動可能状態であるが、（太陽光を検知不可能な）夜間では光センサ６の信号を受けられないので作動不能状態となる構成とすることも可能である。このような構成とすると、野外に設置の警報機１８において、夜間に音発生装置２１が作動して不都合な騒音が発生することを防止又は低減できる。
ここで音発生装置２１とは、電子音を発するブザーや、音声案内を発するスピーカ等の音を発する報知部であり、警報灯８とは、ＬＥＤ（発光ダイオード）、ネオンランプ、白熱ランプ、ハロゲンランプ及び蛍光ランプ等の光を発する報知部である。
【００１４】
図３は、警報機及びブロワの概略回路図である。
警報機１８には、給電コード２４，２４（ブロワ附属プラグ２と各々接続）の少なくとも一方に接続して、給電コード２４に流れる電流の量を検出するＣＴ形式の電流検出器３１がある。警報灯８は、給電コード２４，２４を介して元電源１０（図２を参照）より常時給電可能状態であるが、音発生装置２１は、光センサ６の信号を受けることで初めて給電可能状態（作動可能状態）とすることもできる。そして電流検出器３１による電流が異常であるとき、検出装置３２によって警報灯８が点灯（もしくは点滅）し、さらに光センサ６の信号を受信時（主に日中）に限り音発生装置２１が作動することもできる。なお上記構成は、夜間における音発生装置２１の作動を否定するものではなく、音発生装置２１を常時給電可能状態として、夜間でも音発生装置２１が作動する構成としても当然によいものである。
【００１５】
図４は、別の例の警報機及びブロワの概略回路図である。
また警報機１８は、上記ＣＴ形式電流検出器の代わりに、ブロワ４０に予め内蔵の通電遮断装置４１を利用する構成であってもよい。通電遮断装置４１は、例えば、電磁石を用いてポンプ動作をするダイアフラムに動作異常（偏往復運動）が生じたことを検出して、ブロワ４０の電通状態を一部遮断して電磁石の給電を停止する装置である。そして警報機１８及びブロワ附属プラグ２は４芯で連絡し、そのうちの２芯は、警報機１８内の検出装置３２とブロワ４０内の通電遮断装置４１とを連絡する検出コード１９，１９である。そして警報機１８の検出装置３２が、通電遮断装置４１の作動（ブロワ４０に流れる電流量がゼロもしくはゼロに近くなったこと）を検出し、上述のように警報灯８が点灯（もしくは点滅）し、音発生装置２１が作動することとなる。
【００１６】
図５は、元電源を下方から見たときの正面図であり、図６は、警報機接続時の元電源の平面図である。ここで本実施例の元電源１０は、一対の元電源コンセント１５，１５（各内側刃受孔１５ａ，１５ａ）が、両者の中間を通る基準線Ｂ（仮想線として図示）から離間距離Ｌ１でもって各々離間（等距離にて離間）しており、第２接続面１３に左右対称に配置の構成である。また上述の離間距離Ｌ１は、一対の元電源コンセント１５，１５に２つの絶縁プラグ５を並列接続可能とするため、絶縁プラグ５の絶縁被覆寸法Ｌ２（３ｍｍ以上）よりも長い（大きい）設定である。
そして警報機１８は、その一側の横幅寸法Ｌ３（元電源コンセント１５に接続の絶縁プラグ５を臨む側の横幅寸法）が前記離間距離Ｌ１と同一又はそれよりも短い（小さい）設定である。このため警報機１８は、一方の元電源コンセント１５に接続の絶縁プラグ５が邪魔にならず、当該一方とは異なる他方の元電源コンセント１５に必ず接続可能である。
【００１７】
図７は、元電源と警報機の側面概略図であり、（Ｉ）は、警報機裏面が設置面に対面した状態の図であり、（ＩＩ）は、警報機表面が設置面に対面した状態の図である。ここで本実施例の元電源１０は、警報機１８を接続容易とするため、一対の元電源コンセント１５配置の第２接続面１３が外部を臨むように下方に向けて傾斜した構成である。
そして警報機１８では、その接続状態において、裏面１８ｂと設置面１６ａとの間に隙間（本実施例においては最大クリアランスＬ４）を形成するように縦幅寸法（本体プラグ１２から裏面１８ｂまでの厚み方向の寸法）を設定している。一方、警報機１８の表面１８ａは、裏面１８ｂよりも厚み方向に突出しており（突出部として構成しており）、その突出高さ寸法Ｌ５は、前記最大クリアランスＬ４よりも大きい（高い）設定である。そして、この警報機表面１８ａに、上述の通り、警報灯８及び光センサ６が配置してある。
そして警報機１８は、その裏面１８ｂを設置面１６ａに対面した状態で下方斜めから元電源コンセント１５に接続しようとすると、警報機表面１８ａ（突出部）が設置面１６ａと対面しないので、元電源コンセント１５に接続可能である。一方、警報機１８は、その表面１８ａ（突出部）を設置面１６ａに対面した状態で元電源コンセント１５に下方斜めから接続しようとすると、最大クリアランスＬ４よりも大きい突出高さ寸法Ｌ５の警報機表面１８ａ（突出部）が邪魔となり接続不可である。このため警報機１８は、その裏面１８ｂを設置面１６ａに対面した状態で元電源コンセント１５に必ず接続することになり、警報機表面１８ａに配置の警報灯８が目視可能な状態となるとともに光センサ６が太陽光を安定的に検知可能な状態となる。
【００１８】
そして上記構成の警報機１８によれば、附属プラグ２を有するブロワ４０に改造不要で取り付けることができるとともに、本体プラグ１２を元電源コンセント１５に接続するだけで設置可能なので、設置作業が極めて簡単である。
また警報機１８は、野外に配設したとしても、防壁部３でもってブロワ附属プラグ２を覆う構成なので、ブロワ附属プラグ２の破損や抜け外れが防止又は低減する。そして警報機１８は、野外設置型の元電源１０（複数口型）において、一方の元電源コンセント１５に絶縁プラグ５が接続していても、この一方とは異なる他方の元電源コンセント１５に必ず接続可能である。さらに警報機１８は、昼夜を問わず作動可能な警報灯８を有するとともに音発生装置２１を有し、この音発生装置２１は、日中は作動可能状態であるが、夜間は、不都合な騒音の発生を防止するため作動不能状態とすることもできる。このため警報機１８は、上記各構成を有することにより、特に野外設置に好適な警報機である。
【００１９】
本発明の警報機は、本実施の形態で説明した外観、構成、処理、表示例等に限定されず、本発明の要旨を変更しない範囲で種々の変更、追加、削除が可能である。
本実施例においては、光センサ６における太陽光の検知可能・不可能により、音発生装置２１の作動状態を調節する例を説明した。これとは異なり、警報機にタイマを取り付けて、予め設定した時間帯（例えば日中）に音発生装置を作動可能とする構成としてもよく、光センサとタイマとを併用してもよい。
【００２０】
また本実施例においては、音や光を報知部から直接発する警報機の例を説明した。これとは異なり、特定の電気信号を報知部から発する警報機であってもよい。すなわち警報機からの電気信号を、警報機設置場所とは異なる場所（離れた場所）に設置の報知装置に伝え、その報知装置が作動して間接的に報知する構成としてもよい。このとき、インターネットに接続の報知装置に警報機の電気信号を伝え、当該報知装置により、インターネットを介して報知する構成であってもよい。
【００２１】
また本実施例においては、警報機表面１８ａに警報灯８及び光センサ６を配設した例を説明した。これとは異なり、警報機側面（表面又は裏面とは異なる面）に警報灯や光センサを配設することも可能であり、この場合には、絶縁プラグを臨まない方の側面に警報灯や光センサを配設することが望ましい。なお警報灯や光センサは複数配設することも可能である。
また本実施例においては、警報機表面１８ａ全面を突出して形成の突出部の例を説明した。これとは異なり、警報機表面の一箇所（或いは複数箇所）を突出高さ寸法Ｌ５にて突出形成してもよく、警報灯や音発生装置の警報口をそのものを突出形成して（突出部として）もよい。なお警報灯や警報口を突出形成する場合には、その破損防止のため、樹脂カバー（透明）でもって覆う構成としてもよい。
本実施例においては、検出装置３２を警報機１８に設けた例を説明した。これとは異なり、検出装置３２をブロワ４０に設けてもよい。
また本実施例においては、略四角柱型の外形を呈する警報機１８の例を説明したが、警報機の外形形状は特に限定することはなく、円柱状、多角形状または正方形状等の各種形状をとり得る。
また本実施例においては、電動機器の一例として野外に配置されたブロワ４０（４２）の例を説明した。電動機器は、ブロワ附属プラグを備える構成のものであればよく、野外又は屋内のいずれに配置してもよい。
また元電源１０は、野外及び屋内のいずれに配置されていてもよく、その構成も特に上記構成に限定しない。すなわち元電源は、１口又は２口以上の（複数口の）元電源コンセントを有していてもよく、一対の元電源コンセントを有する場合には、絶縁プラグを並列接続可能であるならば、それらが必ずしも左右対称に配置している必要はない。また、一対の元電源コンセント配置の第２接続面１３は、必ずしも傾斜している必要はなく、設置面１６ａに直交する構成であってもよい。
そして本実施の形態の警報機は、浄化槽用ブロワのほか、各種用途に用いられるブロワにも適用可能である。
【図面の簡単な説明】
【００２２】
【図１】元電源、ブロワ及び警報機を示す全体の概略図である。
【図２】警報機接続時の元電源を下方より見たときの斜視図である。
【図３】警報機及びブロワの概略回路図である。
【図４】別の例の警報機及びブロワの概略回路図である。
【図５】元電源を下方より見たときの正面図である。
【図６】警報機接続時の元電源の平面図である。
【図７】元電源と警報機の側面概略図であり、（Ｉ）は、警報機裏面が設置面に対面した状態の概略図であり、（ＩＩ）は、警報機表面が設置面に対面した状態の概略図である。
【符号の説明】
【００２３】
２    ブロワ附属プラグ
３    防壁部
４    本体コンセント
４ａ  第１接続面
５    絶縁プラグ
６     光センサ
８     警報灯
１０   元電源
１２  本体プラグ
１３  第２接続面
１４  張出部
１５  元電源コンセント
１５ａ      内側刃受孔
１６  野外壁
１６ａ      設置面
１８ａ      警報機表面
１８ｂ      警報機裏面
１８  警報機
１９  検出コード
２１  音発生装置
２４  給電コード
３１  電流検出器
３２  検出装置
４０  ブロワ
４１  通電遮断装置
【図１】
2008146305.tif 000003
【図２】
2008146305.tif 000004
【図３】
2008146305.tif 000005
【図４】
2008146305.tif 000006
【図５】
2008146305.tif 000007
【図６】
2008146305.tif 000008
【図７】
2008146305.tif 000009